(57)【要約】【課題】開封したときに、開封したときに、表裏のフィルムの開封線に、上に凸の形状部がずれて形成され、指で摘みやすく、口開きが容易にできる包装袋を提供する。【解決手段】表フィルム１と裏フィルム２を重ね合わせ、重ね合わせた表フィルムと裏フィルムの周縁部をシールした包装袋１００であって、表フィルムと裏フィルムのそれぞれに、開封後に口開き用のつまみ部となるように、開封するための切断を誘導する、上に凸の形状の表側凸形状易切断線７と裏側凸形状易切断線８が、上下方向で略一致し、且つ、左右にずらして設けられ、表側凸形状易切断線の凸形状部と、裏側凸形状易切断線の凸形状部に、触ることで認識できる接触認識マーク１０がエンボスで設けられている。【選択図】図１
2016104637.tif 000002
【特許請求の範囲】
【請求項１】
表フィルムと裏フィルムを重ね合わせ、重ね合わせた前記表フィルムと前記裏フィルムの周縁部をシールした包装袋であって、
前記表フィルムと前記裏フィルムのそれぞれに、開封後に口開き用のつまみ部となるように、開封するための切断を誘導する、上に凸の形状の表側凸形状易切断線と裏側凸形状易切断線が、上下方向で略一致し、且つ、左右にずらして設けられ、前記表側凸形状易切断線の凸形状部と、前記裏側凸形状易切断線の凸形状部に、あるいは、どちらか一方に、触ることで認識できる接触認識マークが設けられていることを特徴とする包装袋。
【請求項２】
前記接触認識マークがエンボスであることを特徴とする請求項１に記載の包装袋。
【請求項３】
前記接触認識マークが複数設けられていることを特徴とする請求項２に記載の包装袋。
【請求項４】
前記表側凸形状易切断線と前記裏側凸形状易切断線が、表裏で重なっていないことを特徴とする請求項１から３のいずれか１項に記載の包装袋。
【請求項５】
前記表側凸形状易切断線と前記裏側凸形状易切断線が、表裏で一部重なっていることを特徴とする請求項１から３のいずれか１項に記載の包装袋。
【請求項６】
前記表側凸形状易切断線、あるいは、前記裏側凸形状易切断線に切断を誘導する開封誘導線を有することを特徴とする請求項１から５のいずれか１項に記載の包装袋。
【請求項７】
前記開封誘導線が、前記表側凸形状易切断線あるいは前記裏側凸形状易切断線に切断を誘導する左右に伸びる直線状易切断線であることを特徴とする請求項６に記載の包装袋。
【請求項８】
前記開封誘導線が、上または下から斜め方向に、前記表側凸形状易切断線あるいは前記裏側凸形状易切断線へ切断を誘導するように向かう誘導易切断線であることを特徴とする請求項６に記載の包装袋。
【請求項９】
前記表側凸形状易切断線と前記裏側凸形状易切断線の左右のシール部の一方あるいは両方に、引き裂き開始部が設けられていることを特徴とする請求項１から８のいずれか１項に記載の包装袋。
【発明の詳細な説明】
【技術分野】
【０００１】
本発明は、包装袋に関するものである。
【背景技術】
【０００２】
従来から、内容物を収容した包装袋を開封しやすくするために、包装袋の開封予定線の左右両端部、または、いずれかの端部にノッチを設け、開封予定線に直線状のハーフカットを包装袋の表裏２枚のフィルムそれぞれに設けた包装袋があった。これらの包装袋は、ノッチの上下それぞれを指で摘んで、直線状のハーフカットに沿って引っ張ると容易に引き裂かれて開封することができる。
【０００３】
しかし、このような包装袋は容易に開封できるが、内容物を取り出したりするために口を開こうとすると、包装袋の引き裂かれた開封線が、表裏のフィルムで同一位置にあるために、口を開くために、指で表裏のフィルムをそれぞれ摘もうとしても、重なり合った表裏フィルムの間に指を入れることが難しく、容易に口を開くことができなかった。
【０００４】
これを回避するために、表フィルムと裏フィルムに、異なる開封予定線を設けて、開封後の開封線が表裏のフィルムで同一位置にならないようにして、指で摘みやすく、口開きを容易にした包装袋があった。
【０００５】
例えば、開封予定線に沿って、略ハの字型をなすように傾斜した２つの対をなす切れ目を所要間隔の断続状に形成した切れ目線をハーフカットにより、包装袋の表フィルムと裏フィルムに波形に形成して、表フィルムと裏フィルムの波のピッチを相互に交差するようにするか、あるいは、片側のフィルムのみ波形の変形ミシン目状の切目線を設けて、他方のフィルムには、概略直線状の変形ミシン目状の切目線を形成し、開封後の表フィルムと裏フィルムの開封線が完全には重ならず、開口部の口開きを容易した包装袋があった（特許文献１）。
【０００６】
また、包装袋の表フィルムと裏フィルムのそれぞれ、表側開封予定線と裏側開封予定線をハーフカット線で、包装袋の左右両端より内方に向かって直線状に設け、表側開封予定線は直線の両端を結ぶ、上に凸の曲線を設け、裏側開封予定線は直線の両端を結ぶ、下に凸の曲線を設け、開封後、容易に摘んで開口することができるようにした包装袋があった（特許文献２）。
【０００７】
開口部に再封止手段を有し、再封止手段とトップシール部の間に、易開封手段を設け、易開封手段は、左右サイドシール部外縁に設けた易開封加工部と、表面積層体に設けた上に凸の形状を有する表面ハーフカット線ａと、表面積層体に設けた下に凸の形状を有する表面ハーフカット線ｂと、裏面積層体に設けた直線状の裏面ハーフカット線とからなり、表面ハーフカット線ａと表面ハーフカット線ｂとは、凸部が外側になるように裏面ハーフカット線を中心に上下対称に設けられ、これら２本の表面ハーフカット線は、いずれも左サイドシール部上の１点を始点とし、右サイドシール部上の１点を終点とすることを特徴とする包装袋があった（特許文献３）。
【０００８】
公知文献を以下に示す。
【先行技術文献】
【特許文献】
【０００９】
【特許文献１】特開２００１−２４００７４号公報
【特許文献２】特開２００５−２８９３９６号公報
【特許文献３】特開２０１４−５１３１０号公報
【発明の概要】
【発明が解決しようとする課題】
【００１０】
前述のこれらの包装袋は、表フィルムと裏フィルムに、異なる開封予定線を設けて、開封後の開封線が表裏のフィルムで同一位置にならないようにしているが、必ずしも指で摘みやすくなかったり、引裂いた開封線が、ハーフカット線などの開封予定線から外れてしまったりする恐れがあった。
【００１１】
本発明は上記のような事情に鑑みてなされたもので、開封したときに、表裏のフィルムの開封線に、上に凸の形状部がずれて形成され、指で摘みやすく、口開きが容易にできる包装袋を提供することを課題とする。
【課題を解決するための手段】
【００１２】
本発明は係る課題に鑑みなされたものであり、請求項１の発明は、表フィルムと裏フィルムを重ね合わせ、重ね合わせた前記表フィルムと前記裏フィルムの周縁部をシールした包装袋であって、
前記表フィルムと前記裏フィルムのそれぞれに、開封後に口開き用のつまみ部となるように、開封するための切断を誘導する、上に凸の形状の表側凸形状易切断線と裏側凸形状易切断線が、上下方向で略一致し、且つ、左右にずらして設けられ、前記表側凸形状易切断線の凸形状部と、前記裏側凸形状易切断線の凸形状部に、あるいは、どちらか一方に、触ることで認識できる接触認識マークが設けられていることを特徴とする包装袋である。
【００１３】
本発明の請求項２の発明は、前記接触認識マークがエンボスであることを特徴とする請求項１に記載の包装袋である。
【００１４】
本発明の請求項３の発明は、前記接触認識マークが複数設けられていることを特徴とする請求項２に記載の包装袋である。
【００１５】
本発明の請求項４の発明は、前記表側凸形状易切断線と前記裏側凸形状易切断線が、表裏で重なっていないことを特徴とする請求項１から３のいずれか１項に記載の包装袋である。
【００１６】
本発明の請求項５の発明は、前記表側凸形状易切断線と前記裏側凸形状易切断線が、表裏で一部重なっていることを特徴とする請求項１から３のいずれか１項に記載の包装袋である。
【００１７】
本発明の請求項６の発明は、前記表側凸形状易切断線、あるいは、前記裏側凸形状易切断線に切断を誘導する開封誘導線を有することを特徴とする請求項１から５のいずれか１項に記載の包装袋である。
【００１８】
本発明の請求項７の発明は、前記開封誘導線が、前記表側凸形状易切断線あるいは前記裏側凸形状易切断線に切断を誘導する左右に伸びる直線状易切断線であることを特徴とする請求項６に記載の包装袋である。
【００１９】
本発明の請求項８の発明は、前記開封誘導線が、上または下から斜め方向に、前記表側凸形状易切断線あるいは前記裏側凸形状易切断線へ切断を誘導するように向かう誘導易切断線であることを特徴とする請求項６に記載の包装袋である。
【００２０】
本発明の請求項９の発明は、前記表側凸形状易切断線と前記裏側凸形状易切断線の左右のシール部の一方あるいは両方に、引き裂き開始部が設けられていることを特徴とする請求項１から８のいずれか１項に記載の包装袋である。
【発明の効果】
【００２１】
本発明の包装袋は、開封したときに、表裏のフィルムの開封線に、上に凸の形状部がずれて形成され、指で摘みやすく、口開きが容易にできる。
【００２２】
また、凸形状易切断線の凸の内側に、接触認識マークが設けられているので、口開きのために摘む箇所が、触れただけで見なくとも判り、人に優しい。また、接触認識マークがエンボスなどで設けられていると、摘んだときに指が滑りにくく、更に人に優しい。
【図面の簡単な説明】
【００２３】
【図１】本発明の包装袋の第１の実施形態を模式的に正面で示した説明図である。
【図２】本発明の包装袋の第２の実施形態を模式的に正面で示した説明図である。
【図３】本発明の包装袋の第３の実施形態を模式的に正面で示した説明図である。
【図４】本発明の包装袋の第４の実施形態を模式的に正面で示した説明図である。
【図５】本発明の包装袋の第５の実施形態を模式的に正面で示した説明図である。
【図６】本発明の包装袋に用いる積層体の一例を模式的に断面で示した説明図である。
【発明を実施するための形態】
【００２４】
＜第１の実施形態＞
以下、本発明を実施するための第１の実施形態につき説明する。
図１は、本発明の包装袋の第１の実施形態を模式的に正面で示した説明図である。
【００２５】
第１の実施形態の包装袋１００は、図１のように、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００２６】
そして、天シール部５の近傍に開封するための切断を誘導する易切断線を設けてある。易切断線は、表フィルム１には上に凸の形状で線状の表側凸形状易切断線７が設けられ、裏フィルム２にも上に凸の形状で線状の裏側凸形状易切断線８が設けられている。
【００２７】
表側凸形状易切断線７と裏側凸形状易切断線８は、表裏で、上下は略同一の位置で、左右にはずれていて、一部が重なった位置に設けられている。また、左サイドシール部３、および、右サイドシール部４の外端縁から内方に向かう引き裂き開始部９が、表側凸形状易切断線７と裏側凸形状易切断線８の左右の位置に設けられている。
【００２８】
引き裂き開始部９は本実施形態では横方向の短い直線からなる傷加工で設けられている。引き裂き開始部９はこれに限らず、ＶノッチやＩノッチなどのノッチで設けてもよいし、他のものでもよい。
【００２９】
表側凸形状易切断線７の凸形状の内側と、裏側凸形状易切断線８の凸形状の内側に、触ることで認識できる接触認識マーク１０が設けられている。本実施形態では接触認識マーク１０は、楕円状のエンボスで、表裏方向に出っ張って設けられている。エンボスは、表フィルム１や裏フィルム２をエンボスの形状で表裏方向にプレスすることによって設けられる。
【００３０】
エンボスの凸の方向は、表裏のフィルムの内側に出ていても、外側に出ていてもかまわない。また、本実施形態では、エンボスを楕円状の一つのエンボスで設けたが、例えば、
ドット状や線状の複数のエンボスや格子状のエンボスで設けてもよい。
【００３１】
接触認識マーク１０は、エンボスに限定されるものではなく、触ることで認識できるものであればよく、例えば、表面に触ってわかる程度の傷加工を設けてもよい。また、凸形状の縁をギザギザに切断するようにして、接触認識マーク１０としてもよいし、凸形状の縁にエンボスを設けてもよい。更には、フィルムの表面にマットニスなどをポイントで塗布して接触認識マーク１０としてもよい。
【００３２】
本実施形態の包装袋１００は、以上のように構成されているので、引き裂き開始部９の上下を持って、横方向に引き裂いていくと、表側凸形状易切断線７や裏側凸形状易切断線８に引き裂きが至り、それぞれに沿って引き裂かれ、その後、包装袋の反対側に引き裂きが至り、包装袋の上部が取り除かれ、開封することができる。
【００３３】
そして、開封された包装袋の上端の開封線は、表側凸形状易切断線７や裏側凸形状易切断線８により、上に凸の形状に形成され、且つ、表フィルム１と裏フィルム２とで左右にずれた位置に、凸の形状が形成されているので指を掛けて摘みやすい。
【００３４】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【００３５】
＜第２の実施形態＞
以下、本発明を実施するための第２の実施形態につき説明する。
図２は、本発明の包装袋の第２の実施形態を模式的に正面で示した説明図である。
【００３６】
第２の実施形態の包装袋２００は、図２のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００３７】
そして、天シール部５の近傍に開封するための切断を誘導する易切断線を設けてある。易切断線は、表フィルム１には上に凸の形状で線状の表側凸形状易切断線７が設けられ、裏フィルム２にも上に凸の形状で線状の裏側凸形状易切断線８が設けられている。
【００３８】
表側凸形状易切断線７と裏側凸形状易切断線８は、表裏で、上下は略同一の位置で、左右にはずれていて、一部が重なった位置に設けられている。また、左サイドシール部３、および、右サイドシール部４の外端縁から内方に向かう引き裂き開始部９が、表側凸形状易切断線７と裏側凸形状易切断線８の左右の位置に設けられている。
【００３９】
引き裂き開始部９は本実施形態では横方向の短い直線からなる傷加工で設けられている。引き裂き開始部９はこれに限らず、ＶノッチやＩノッチなどのノッチで設けてもよいし、他のものでもよい。
【００４０】
表側凸形状易切断線７の凸形状の内側と、裏側凸形状易切断線８の凸形状の内側に、触ることで認識できる接触認識マーク１０が設けられている。本実施形態では接触認識マーク１０は、楕円状のエンボスで、表裏方向に出っ張って設けられている。エンボスは、表フィルム１や裏フィルム２をエンボスの形状で表裏方向にプレスすることによって設けられる。
【００４１】
エンボスの凸の方向は、表裏のフィルムの内側に出ていても、外側に出ていてもかまわ
ない。また、本実施形態では、エンボスを楕円状の一つのエンボスで設けたが、例えば、ドット状や線状の複数のエンボスや格子状のエンボスで設けてもよい。
【００４２】
接触認識マーク１０は、エンボスに限定されるものではなく、触ることで認識できるものであればよく、例えば、表面に触ってわかる程度の傷加工を設けてもよい。また、凸形状の縁をギザギザに切断するようにして、接触認識マーク１０としてもよいし、凸形状の縁にエンボスを設けてもよい。更には、フィルムの表面にマットニスなどをポイントで塗布して接触認識マーク１０としてもよい。
【００４３】
本実施形態の包装袋２００は、以上のように構成されているので、引き裂き開始部９の上下を持って、横方向に引き裂いていくと、表側凸形状易切断線７や裏側凸形状易切断線８に引き裂きが至り、それぞれに沿って引き裂かれ、その後、包装袋の反対側に引き裂きが至り、包装袋の上部が取り除かれ、開封することができる。
【００４４】
そして、開封された包装袋の上端の開封線は、表側凸形状易切断線７や裏側凸形状易切断線８により、上に凸の形状に形成され、且つ、表裏で左右にずれた位置に、凸の形状が形成されているので指を掛けて摘みやすい。
【００４５】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【００４６】
＜第３の実施形態＞
以下、本発明を実施するための第３の実施形態につき説明する。
図３は、本発明の包装袋の第３の実施形態を模式的に正面で示した説明図である。
【００４７】
第３の実施形態の包装袋３００は、図３のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００４８】
そして、天シール部５の近傍に開封するための切断を誘導する易切断線を設けてある。易切断線は、表フィルム１には上に凸の形状で線状の表側凸形状易切断線７が設けられ、裏フィルム２にも上に凸の形状で線状の裏側凸形状易切断線８が設けられている。
【００４９】
表側凸形状易切断線７と裏側凸形状易切断線８は、表裏で、上下は略同一の位置で、左右にはずれていて、一部が重なった位置に設けられている。また、左サイドシール部３、および、右サイドシール部４の外端縁から内方に向かう引き裂き開始部９が、表側凸形状易切断線７と裏側凸形状易切断線８の左右の位置に設けられている。
【００５０】
引き裂き開始部９は本実施形態では横方向の短い直線からなる傷加工で設けられている。引き裂き開始部９はこれに限らず、ＶノッチやＩノッチなどのノッチで設けてもよいし、他のものでもよい。
【００５１】
表側凸形状易切断線７の凸形状の内側と、裏側凸形状易切断線８の凸形状の内側に、触ることで認識できる接触認識マーク１０が設けられている。本実施形態では接触認識マーク１０は、楕円状のエンボスで、表裏方向に出っ張って設けられている。エンボスは、表フィルム１や裏フィルム２をエンボスの形状で表裏方向にプレスすることによって設けられる。
【００５２】
エンボスの凸の方向は、表裏のフィルムの内側に出ていても、外側に出ていてもかまわない。また、本実施形態では、エンボスを楕円状の一つのエンボスで設けたが、例えば、ドット状や線状の複数のエンボスや格子状のエンボスで設けてもよい。
【００５３】
接触認識マーク１０は、エンボスに限定されるものではなく、触ることで認識できるものであればよく、例えば、表面に触ってわかる程度の傷加工を設けてもよい。また、凸形状の縁をギザギザに切断するようにして、接触認識マーク１０としてもよいし、凸形状の縁にエンボスを設けてもよい。更には、フィルムの表面にマットニスなどをポイントで塗布して接触認識マーク１０としてもよい。
【００５４】
本実施形態の包装袋３００は、以上のように構成されているので、引き裂き開始部９の上下を持って、横方向に引き裂いていくと、表側凸形状易切断線７や裏側凸形状易切断線８に引き裂きが至り、それぞれに沿って引き裂かれ、その後、包装袋の反対側に引き裂きが至り、包装袋の上部が取り除かれ、開封することができる。
【００５５】
そして、開封された包装袋の上端の開封線は、表側凸形状易切断線７や裏側凸形状易切断線８により、上に凸の形状に形成され、且つ、表裏で左右にずれた位置に、凸の形状が形成されているので指を掛けて摘みやすい。
【００５６】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【００５７】
＜第４の実施形態＞
以下、本発明を実施するための第４の実施形態につき説明する。
図４は、本発明の包装袋の第４の実施形態を模式的に正面で示した説明図である。
【００５８】
第４の実施形態の包装袋４００は、図４のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００５９】
そして、天シール部５の近傍に開封するための切断を誘導する易切断線を設けてある。易切断線は、表フィルム１には上に凸の形状で線状の表側凸形状易切断線７が設けられ、裏フィルム２にも上に凸の形状で線状の裏側凸形状易切断線８が設けられている。
【００６０】
表側凸形状易切断線７と裏側凸形状易切断線８は、表裏で、上下は略同一の位置で、左右にはずれていて、重ならず接する位置に設けられている。また、表側凸形状易切断線７あるいは裏側凸形状易切断線８へ切断を誘導するための開封誘導線が更に設けられ、本実施形態では、表側凸形状易切断線７の両端部からその左右に、開封誘導線の直線状の表側直線状易切断線１１が伸びていて、表側凸形状易切断線７へ切断を誘導するようになっている。同様に、裏側凸形状易切断線８の両端部から、その左右に、裏側直線状易切断線１２が伸びていて、裏側凸形状易切断線８へ切断を誘導するようになっている。
【００６１】
また、左サイドシール部３、および、右サイドシール部４の外端縁から内方に向かう引き裂き開始部９が、表側凸形状易切断線７と裏側凸形状易切断線８の左右の位置に設けられている。引き裂き開始部９は本実施形態では横方向の短い直線からなる傷加工で設けられている。引き裂き開始部９はこれに限らず、ＶノッチやＩノッチなどのノッチで設けてもよいし、他のものでもよい。
【００６２】
表側凸形状易切断線７の凸形状の内側と、裏側凸形状易切断線８の凸形状の内側に、触ることで認識できる接触認識マーク１０が設けられている。本実施形態では接触認識マーク１０は、楕円状のエンボスで、表裏方向に出っ張って設けられている。エンボスは、表フィルム１や裏フィルム２をエンボスの形状で表裏方向にプレスすることによって設けられる。
【００６３】
エンボスの凸の方向は、表裏のフィルムの内側に出ていても、外側に出ていてもかまわない。また、本実施形態では、エンボスを楕円状の一つのエンボスで設けたが、例えば、ドット状や線状の複数のエンボスや格子状のエンボスで設けてもよい。
【００６４】
接触認識マーク１０は、エンボスに限定されるものではなく、触ることで認識できるものであればよく、例えば、表面に触ってわかる程度の傷加工を設けてもよい。また、凸形状の縁をギザギザに切断するようにして、接触認識マーク１０としてもよいし、凸形状の縁にエンボスを設けてもよい。更には、フィルムの表面にマットニスなどをポイントで塗布して接触認識マーク１０としてもよい。
【００６５】
本実施形態の包装袋４００は、以上のように構成されているので、引き裂き開始部９の上下を持って、横方向に引き裂いていくと、引き裂きが表側直線状易切断線１１や裏側直線状易切断線１２に至り、この表側直線状易切断線１１や裏側直線状易切断線１２によって、更に引き裂きが表側凸形状易切断線７や裏側凸形状易切断線８に至り、それぞれに沿って引き裂かれ、その後、反対側の表側直線状易切断線１１や裏側直線状易切断線１２によって袋の端縁に至り、包装袋の上部が取り除かれ、開封することができる。
【００６６】
そして、開封された包装袋の上端の開封線は、表側凸形状易切断線７や裏側凸形状易切断線８により、上に凸の形状に形成され、且つ、表裏で左右にずれた位置に、凸の形状が形成されているので指を掛けて摘みやすい。
【００６７】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【００６８】
＜第５の実施形態＞
以下、本発明を実施するための第５の実施形態につき説明する。
図５は、本発明の包装袋の第５の実施形態を模式的に正面で示した説明図である。
【００６９】
第５の実施形態の包装袋５００は、図５のように、包装袋１００と同様に、表フィルム１と裏フィルム２を重ね合わせ、重ね合わせた表フィルム１と裏フィルム２の周縁部をシールし、左サイドシール部３、右サイドシール部４、天シール部５、底シール部６を設けた包装袋である。
【００７０】
そして、天シール部５の近傍に開封するための切断を誘導する易切断線を設けてある。易切断線は、表フィルム１には上に凸の形状で線状の表側凸形状易切断線７が設けられ、裏フィルム２にも上に凸の形状で線状の裏側凸形状易切断線８が設けられている。
【００７１】
表側凸形状易切断線７と裏側凸形状易切断線８は、表裏で、上下は略同一の位置で、左右にはずれていて、重ならず接する位置に設けられている。また表側凸形状易切断線７あるいは裏側凸形状易切断線８へ切断を誘導するための開封誘導線が更に設けられ、本実施形態では、表側凸形状易切断線７の両端部からその左右に、直線状の開封誘導線の表側直線状易切断線１１が伸びていて、表側凸形状易切断線７へ切断を誘導するようになっている。同様に、裏側凸形状易切断線８の両端部から、その左右に、直線状の開封誘導線の裏
側直線状易切断線１２が伸びていて、裏側凸形状易切断線８へ切断を誘導するようになっている。
【００７２】
更に、表フィルム１には、別の開封誘導線の表側誘導易切断線１３が、左サイドシール部３、および、右サイドシール部４に、上または下から斜め方向に向かい、表側凸形状易切断線７へ切断を誘導するように、あるいは、表側直線状易切断線１１を経て、表側凸形状易切断線７へ切断を誘導するように設けられている。
【００７３】
また、裏フィルム２にも同様に、別の開封誘導線の裏側誘導易切断線１４が、左サイドシール部３、および、右サイドシール部４に、上または下から斜め方向に向かい、裏側凸形状易切断線８へ切断を誘導するように、あるいは、裏側直線状易切断線１２を経て、表側凸形状易切断線８へ切断を誘導するように設けられている。
【００７４】
また、左サイドシール部３、および、右サイドシール部４の外端縁から内方に向かう引き裂き開始部９が、表側凸形状易切断線７と裏側凸形状易切断線８の左右の位置に設けられている。引き裂き開始部９は本実施形態では横方向の短い直線からなる傷加工で設けられている。引き裂き開始部９はこれに限らず、ＶノッチやＩノッチなどのノッチで設けてもよいし、他のものでもよい。
【００７５】
表側凸形状易切断線７の凸形状の内側と、裏側凸形状易切断線８の凸形状の内側に、触ることで認識できる接触認識マーク１０が設けられている。本実施形態では接触認識マーク１０は、楕円状のエンボスで、表裏方向に出っ張って設けられている。エンボスは、表フィルム１や裏フィルム２をエンボスの形状で表裏方向にプレスすることによって設けられる。
【００７６】
エンボスの凸の方向は、表裏のフィルムの内側に出ていても、外側に出ていてもかまわない。また、本実施形態では、エンボスを楕円状の一つのエンボスで設けたが、例えば、ドット状や線状の複数のエンボスや格子状のエンボスで設けてもよい。
【００７７】
接触認識マーク１０は、エンボスに限定されるものではなく、触ることで認識できるものであればよく、例えば、表面に触ってわかる程度の傷加工を設けてもよい。また、凸形状の縁をギザギザに切断するようにして、接触認識マーク１０としてもよいし、凸形状の縁にエンボスを設けてもよい。更には、フィルムの表面にマットニスなどをポイントで塗布して接触認識マーク１０としてもよい。
【００７８】
本実施形態の包装袋５００は、以上のように構成されているので、引き裂き開始部９の上下を持って、横方向に引き裂いていくと、引き裂きが表側直線状易切断線１１や裏側直線状易切断線１２に至り、この表側直線状易切断線１１や裏側直線状易切断線１２によって、更に引き裂きが表側凸形状易切断線７や裏側凸形状易切断線８に至り、それぞれに沿って引き裂かれ、その後、反対側の表側直線状易切断線１１や裏側直線状易切断線１２によって袋の端縁に至り、包装袋の上部が取り除かれ、開封することができる。
【００７９】
引き裂き開始部９から横方向に引き裂いたときに、万が一、引き裂きが上下方向に逸れて行っても、表側誘導易切断線１３や裏側誘導易切断線１４により、引き裂きが凸形状易切断線７、８や、直線状易切断線１１、１２に誘導され、結果として表側凸形状易切断線７や裏側凸形状易切断線８に沿った引き裂きを行うことができる。
【００８０】
そして、開封された包装袋の上端の開封線は、表側凸形状易切断線７や裏側凸形状易切断線８により、上に凸の形状に形成され、且つ、表裏で左右にずれた位置に、凸形状が形成されているので指を掛けて摘みやすい。
【００８１】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【００８２】
図６は、本発明の包装袋に用いる積層体の一例を模式的に断面で示した説明図である。本発明の包装袋の表フィルム１および裏フィルム２は、図６のように、基材層１１１とシーラント層１１２とを貼り合わせた積層フィルム１１０からなっている。基材層１１１やシーラント層１１２は、更に積層された多層になっていてもよい。
【００８３】
基材層１１１には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度が好ましい。
【００８４】
また、金属や無機物を蒸着した蒸着フィルムを、基材層１１１として用いることもできる。また、これらを組み合わせて、基材層１１１を多層にして設けても良い。さらには、アルミ箔などの金属箔も、多層の基材フィルムの１層として設けることもできる。
【００８５】
シーラント層１１２には、熱溶融性樹脂が用いられる。ポリプロピレンや、低密度ポリエチレン、直鎖状低密度ポリエチレン、あるいは、酸変性ポリエチレンなどが用いられる。また、シーラント層１１２に多層の共押し出しフィルムを用いても良い。多層の共押し出しフィルムのシーラント層１１２としては、低密度ポリエチレンや高密度ポリエチレンを中間層として、両面に直鎖状低密度ポリエチレンの層を設けたものが好ましく用いられる。
【００８６】
シーラント層１１２の厚さは、内容物の量によって、調整されるものであるが、８０μｍから２００μｍの厚さが好ましく、より好ましくは、１００μｍから１５０μｍが好ましく使用できる。
【００８７】
また、絵柄印刷層を基材層１１１の裏面などに設けることができる。また、多層の基材層１１１の場合は、基材層１１１の最外層のフィルムに絵柄印刷層を設けることが好ましい。絵柄印刷層を設ける印刷方式は、特に限定するものではないが、通常、グラビア印刷、あるいは、フレキソ印刷が用いられる。
【００８８】
易切断線はハーフカット線で設けることができる。ハーフカット線１１３は、ロール状などの金属刃を用いて、図６（Ａ）のように、表側から基材層１１１に入れることができる。この場合、基材層１１１の途中まで刃が入っていても、基材層１１１を越えて、シーラント層１１２の途中まで刃が入っていてもよい。
【００８９】
また、ハーフカット線１１３を基材層１１１側から照射するレーザー加工で設けることができる。用いるレーザーには炭酸ガスレーザーが好ましく用いられる。ハーフカット線をレーザー加工で設ける場合では、多層の基材層１１１の最外層には設けないようにして、図６（Ｂ）のように、基材層１１１の内側層に設けることもできる。
【００９０】
本発明の包装袋は、説明した各実施形態では４方シール袋であったが、これに限られるものではなく、スタンディングパウチや、天部あるいは地部を折り返した３方シール袋などでもかまわない。左右のサイドシール部の設けられた袋であればよい。
【００９１】
以上のように本発明の包装袋は、横方向に引き裂いて開封したときに、表裏のフィルムに設けられていた表側凸形状易切断線７や裏側凸形状易切断線８により、開封された包装
袋の上端の開封線は、つまみ部となる上に凸の形状に形成され、且つ、表裏で左右にずれた位置に、凸の形状が形成されているので指を掛けて摘みやすい。
【００９２】
また、指でそれぞれを摘むときには、エンボスからなる接触認識マーク１０がつまみ部となる凸形状部分に設けられているので、指が滑りにくく摘みやすい。また、接触認識マーク１０により口開きのために摘む箇所が、触れただけで見なくとも判り、人に優しい。
【符号の説明】
【００９３】
１００、２００、３００、４００、５００・・・包装袋
１・・・表フィルム
２・・・裏フィルム
３・・・左サイドシール部
４・・・右サイドシール部
５・・・天シール部
６・・・底シール部
７・・・表側凸形状易切断線
８・・・裏側凸形状易切断線
９・・・引き裂き開始部
１０・・・接触認識マーク
１１・・・表側直線状易切断線
１２・・・裏側直線状易切断線
１３・・・表側誘導易切断線
１４・・・裏側誘導易切断線
１１０・・・積層フィルム
１１１・・・基材層
１１２・・・シーラント層
１１３・・・ハーフカット線
【図１】
2016104637.tif 000003
【図２】
2016104637.tif 000004
【図３】
2016104637.tif 000005
【図４】
2016104637.tif 000006
【図５】
2016104637.tif 000007
【図６】
2016104637.tif 000008